(57)【要約】【課題】大型化や複雑化を招くことなく操作性が損なわれることをなくすことができる構成を備えた可搬型ブロワを提供する。【解決手段】原動機（２）と遠心型ファン（３）を水平方向若しくはほぼ水平方向に並置した構成を備えた可搬型ブロワ（１）において、上記原動機（２）および遠心型ファン（３）をそれぞれ覆うことができる形状のケーシング（４）に可搬用ハンドル（５）を設け、上記可搬用ハンドル（５）は、平面視において上記遠心型ファン（３）の吐出管（６）の先端側と同一軸線（Ｆ）上に位置して少なくとも上記原動機（２）および遠心型ファン（３）を含めた可搬型ブロワ（１）の重心位置（Ｇ）上方に配置されて設けられていることを特徴とする。【選択図】　　図１
2004081910.tif 000002
【特許請求の範囲】
【請求項１】
原動機（２）と遠心型ファン（３）を水平方向若しくはほぼ水平方向に並置した構成を備えた可搬型ブロワ（１）において、
上記原動機（２）および遠心型ファン（３）をそれぞれ覆うことができる形状のケーシング（４）に可搬用ハンドル（５）を設け、
上記可搬用ハンドル（５）は、平面視において上記遠心型ファン（３）の吐出管（６）の先端側と同一軸線（Ｆ）上に位置して上記原動機（２）および遠心型ファン（３）を含めた可搬型ブロワの重心位置（Ｇ）上方に配置されて設けられていることを特徴とする可搬型ブロワ。
【請求項２】
請求項１記載の可搬型ブロワ（１）において、
上記吐出管（６）は、その軸線（Ｆ）が少なくとも上記原動機（２）および遠心型ファン（３）を含めた可搬型ブロワの重心位置（Ｇ）からの延長線上若しくはその近傍を通過するように上記遠心型ファン（３）の吐出部（３Ｂ）の軸線（Ｆ１）からオフセットさせてあることを特徴とする可搬型ブロワ。
【請求項３】
請求項１記載の可搬型ブロワ（１）において、
上記遠心型ファン（３）の吐出部（３Ｂ）の先端側は、その軸線が上記重心位置（Ｇ）からの延長線上若しくはその近傍を通過する形態とされていることを特徴とする可搬型ブロワ。
【請求項４】
請求項２または３記載の可搬型ブロワ（１）において、
上記吐出管（６）若しくは吐出部（３Ｂ）の先端側は、軸線が上記重心位置（Ｇ）からの延長線上若しくは近傍を通過するよう曲部（３Ｃ）を有し、該曲部（３Ｃ）は傾斜部で構成されていることを特徴とする可搬型ブロワ。
【発明の詳細な説明】
【０００１】
【発明の属する技術分野】
本発明は、可搬型ブロワに関し、さらに詳しくはハンドル構造に関する。
【０００２】
【従来の技術】
可搬型ブロワは、電動モータや内燃機関等の駆動源とこの駆動源により回転可能な遠心型の送風機とを備えている。
送風機はダクトが連結されており、ダクトから吐出される強風により埃や落ち葉あるいはゴミなどさらにはこれらに類するものを吹き飛ばすことができる。
図５は、可搬型ブロワの一例を示す図であり、同図において可搬型ブロワＡは、駆動源が収容されている範囲（図中、符号Ｂで示す範囲）と送風機が収容されている範囲（図中、符号Ｃで示す範囲）とがそれぞれケーシングＤによって覆われており、これら両範囲部等を持ち運んで作業するためにハンドルＥがケーシングＤに一体化されて設けられている。なお、図中符号Ｔは、送風機の吐出部に連結されている吐出管を示している。
ハンドルＥは、駆動部の範囲Ｂと送風機の範囲Ｃとの両部を含めた重心位置に取り付けられることが可搬型ブロワを持った場合の重量バランスにおいて好都合である。しかし、送風機に比べて重量が大きい駆動部寄りにハンドルＥの取り付け位置が設定されることが多い。このため、送風機における吐出口とハンドルの取り付け位置との間に僅かながらも距離（図中、符号Ｌで示す）が存在することになる。吐出口とハンドルの取り付け位置との間に距離Ｌが存在すると、吐出口に連結される吐出管Ｔに生起される吐出圧力の反力が吐出管Ｔに作用し、上記距離Ｌを半径として水平面内で回転モーメント（図中、符号Ｍで示す）が発生しやすくなる。
回転モーメントＭは、可搬型ブロワＡを水平面内で揺れ動かす作用を及ぼし、安定した可搬型ブロワの支持が困難となりやすい。
そこで、上述した距離Ｌに着目して反力が生じる吐出口と反対側にハンドルを設けた構成が提案されている（例えば、特開平７−１３３７９４号公報）。
上記公報には、ハンドルと吐出開口とが同一軸線上に位置する構成が開示されている。
【０００３】
【発明が解決しようとする課題】
上記公報に開示されている構成においては、平面視において電動モータの出力軸の軸心位置と吐出開口の軸線とが同じ線上に位置していることで上述した距離の存在を無くして水平面内でのブロワの揺れをなくすことが可能であるものの、次のような新たな不具合が発生する。
送風機の内部はケーシングのみでなくファンの回転時に吐出圧力を発生させるための形状を有する導風ガイドが必要となり、この導風ガイドとケーシング内部との間のスペースがデッドスペースとなることから送風機自体の形状が不必要に大型化してしまう。
【０００４】
一方、送風機への吸気口が電動モータの軸心位置上方に設けられていることから電動モータの上方を開放して吸風を妨げないようにしておく必要があり、このことから、ハンドルの設置位置は電動モータの軸心位置よりも後方位置となっている。このため、垂直視において電動モータの軸心位置とハンドルの設置位置とに距離が生じ、この距離の存在によりブロワが不必要に大型化してしまうことになる。
【０００５】
本発明の目的は、上記従来の可搬型ブロワにおける問題に鑑み、大型化や複雑化を招くことなく操作性が損なわれることをなくすことができる構成を備えた可搬型ブロワを提供することにある。
【０００６】
【課題を解決するための手段】
請求項１記載の発明は、原動機（２）と遠心型ファン（３）を水平方向若しくはほぼ水平方向に並置した構成を備えた可搬型ブロワ（１）において、
上記原動機（２）および遠心型ファン（３）をそれぞれ覆うことができる形状のケーシング（４）に可搬用ハンドル（５）を設け、
上記可搬用ハンドル（５）は、平面視において上記遠心型ファン（３）の吐出管（６）の先端側と同一軸線（Ｆ）上に位置して上記原動機（２）および遠心型ファン（３）を含めた可搬型ブロワの重心位置（Ｇ）上方に配置されて設けられていることを特徴としている。
【０００７】
請求項２記載の発明は、請求項１記載の発明に加えて、上記吐出管（６）は、その軸線が上記原動機（２）および遠心型ファン（３）を含めた可搬型ブロワの重心位置（Ｇ）からの延長線（Ｆ）上若しくはその近傍を通過するように上記遠心型ファン（３）の吐出部（３Ｂ）の軸線（Ｆ１）からオフセットさせてあることを特徴としている。
【０００８】
請求項３記載の発明は、請求項１記載の発明に加えて、上記遠心型ファン（３）の吐出部（３Ｂ）の先端側は、その軸線が上記重心位置（Ｇ）からの延長線上若しくはその近傍を通過する形態とされていることを特徴としている。
【０００９】
請求項４記載の発明は、請求項２または３記載の発明に加えて、上記吐出管（６）若しくは吐出部（３Ｂ）の先端側は、軸線が上記重心位置（Ｇ）からの延長線上若しくは近傍を通過するよう曲部（３Ｃ）を有し、該曲部（３Ｃ）は傾斜部で構成されていることを特徴としている。
【００１０】
【発明の実施の形態】
以下図面により本発明の実施の形態を説明する。
図１は、本発明の実施形態に係る可搬型ブロワの平面図である。
可搬型ブロワ１は、原動機２の出力軸に遠心型ファン３を取り付けて両部材を水平方向に並置した構成を備えており、これら両部材の外周囲は割型構造とされたケーシング４によって覆われている。
【００１１】
図２は、可搬型ブロワ１の内部構造を示す部分的な断面図であり、同図において、原動機２は周知構造の２サイクルあるいは４サイクルエンジンが用いられ、この原動機２の出力軸２Ａには渦巻き型が用いられた遠心型ファン３の回転翼３Ａが取り付けられている。
【００１２】
ケーシング４は、原動機２側を覆うことができる形状部分４Ａと遠心型ファン３側における軸方向の一部領域を覆うことができる形状部分４Ｂとに分割された割型構造であり、遠心型ファン３側の形状部分４Ｂにはその一部に吐出部３Ｂおよび吸気部３Ｄが設けられている。
ケーシング４には、可搬用ハンドル５が設けられている。
図１において可搬用ハンドル５は、平面視において遠心型ファン３の吐出部に取り付けられている吐出管６の軸線（図１中、符号Ｆで示す）上に位置し、さらに少なくとも原動機２および遠心型ファン３を含めたケーシング４、さらには吐出管６を有してアッセンブリとされた可搬型ブロワ１の重心位置（図１中、符号Ｇで示す位置）の上方に把持部が位置するように設けられている。
【００１３】
吐出管６は、上述した可搬用ハンドル５との位置関係が得られるように形成されており、具体的には、遠心型ファン３の吐出部の延長線（図１中、符号Ｆ１で示す）上からその吐出部に連結される吐出管６の基部側を屈曲させてオフセットさせる（便宜上、図１において符号３Ｃで示す）ことにより、平面視において上記重心位置Ｇの延長線上若しくはその近傍を通過させて可搬用ハンドル５が吐出管６の先端側の軸線Ｆ上に位置するように形成されている。
【００１４】
図３および図４は、遠心型ファン３における吐出部と吐出管６との連結構造を説明するための図であり、図３に示す構造は、遠心型ファン３の吐出部３Ｂが直管構造の場合を示しており、吐出部３Ｂが吐出管６の基部内に挿入されている。
図４に示す構造は、遠心型ファン３の吐出部３Ｂの先端側が重心位置Ｇからの延長線上若しくはその近傍を通過する形状とされている。
【００１５】
遠心型ファン３の吐出部３Ｂと吐出管６の基部との連結は、図３および図４に示すように、吐出部３Ｂあるいは吐出管６の基部側に設けられているＬ字状嵌合部（図３および図４では、吐出部３Ｂ側に設けた符号３Ｂ１が相当）に対して挿入される相手側に設けられているピン（図示されず）などの係合部材を挿入して周方向に回転させることにより吐出間６を抜け止めした状態で取り付けることができる。また、吐出管６の基部側外周には固定バンド７（図３参照）などにより強固な結合を行うことも可能である。
【００１６】
吐出管６および図４に示した吐出部３Ｂでの屈曲位置３Ｃの構成としては、図１において二点鎖線で示すように、図１乃至図３に示したような角部を持たない傾斜部（便宜上、図１において符号３Ｃ’で示す）に構成することも可能である。この構成においては、吐出管６内を通過する気流が角部に衝突するようなことがないので、衝突による衝撃や圧力損失を防ぐことができる。
【００１７】
本実施形態は以上のような構成において、可搬型ブロワ１は割型構造のケーシング４を合わせ結合することにより原動機２および遠心型ファン３が内蔵され、吐出管６が遠心型ファン３の吐出部３に連結されることで組み立てられる。
ケーシング４には、吐出管６の軸線Ｆ上で軸心位置Ｇの上方に位置する可搬用ハンドル５が設けられているので、重心位置Ｇと吐出口とが同じ軸線Ｆ上に位置する。このため、重心位置Ｇと吐出口との間に回転モーメントを生起させる半径に相当する距離が存在しないので、吐出口での吐出圧力に対する反力が発生した場合でも重心位置Ｇとの間に半径に相当する距離が存在しないことが原因して回転モーメントが発生せず、平面視においてケーシング４を揺れ動かすことがない。これにより、作業者にとって不用意に手首をひねるような負荷が生じないので、作業操作性を良好な状態に維持することができる。
【００１８】
一方、可搬用ハンドル５は原動機２および遠心型ファン３を含めた重心位置Ｇの上方に把持部が位置しているので、後方への張り出し部材がない。これにより、後方に張り出す把持部等が存在しないようにして可搬型ブロワの小型化を図ることができる。
【００１９】
【発明の効果】
請求項１記載の発明によれば、可搬用ハンドルが平面視において遠心型ファンの吐出管と同軸線上に位置して少なくとも原動機および遠心型ファンを含めた可搬型ブロワの重心位置上方若しくはその近傍に配置されているので、水平面視においてハンドルの設置位置と遠心型ファンとの間に回転モーメントを生起させる半径に相当する距離が存在しないようにできる。このため、水平面内での揺れが発生するようなことがない。これにより作業が不安定となることがなく、操作性を向上させることができる。しかも、ハンドルを設置した場合においても、遠心型ファンに構造上の変更を要しないので、ケーシングの大型化を防止することも可能となる。
【００２０】
請求項２および３記載の発明によれば、遠心型ファンの吐出部を形態変化させるだけで吐出部とハンドルとを同軸線上に配置することができる。これにより、回転モーメントの発生を原動機や遠心型送風機内部の構造を変更することなく防止することができ、操作時での安定性を確保することが可能となる。
【００２１】
請求項４記載の発明によれば、遠心型ファンの吐出部および吐出管の軸線が重心位置からの延長線上を通過するよう曲部を設けた場合の形態としてその曲部が角部を有しない傾斜部であるので、遠心型ファンから吐出される気流が角部に衝突した場合の衝撃力の発生や圧力損失をなくして吐出時での作業が不安定となることおよび圧力低下を防止して操作性を向上させることが可能となる。
【図面の簡単な説明】
【図１】本発明の実施形態に係る可搬型ブロワの平面図である。
【図２】図１に示した可搬型ブロワの部分的な断面図である。
【図３】図１に示した可搬型ブロワの吐出構造を説明するための平面図である。
【図４】図１に示した可搬型ブロワの吐出構造に関する他の例を説明するための平面図である。
【図５】可搬型ブロワの従来構造の一つを示す外観図である。
【符号の説明】
１　　可搬型ブロワ
２　　原動機
３　　遠心型ファン
３Ｂ　吐出部
４　　ケーシング
５　　可搬用ハンドル
６　　吐出管
Ｆ　　吐出管の軸線
Ｆ１　吐出部の軸線
Ｇ　　重心位置
【図１】
2004081910.tif 000003
【図２】
2004081910.tif 000004
【図３】
2004081910.tif 000005
【図４】
2004081910.tif 000006
【図５】
2004081910.tif 000007
【手続補正書】
【提出日】平成14年8月30日(2002.8.30)
【手続補正１】
【補正対象書類名】図面
【補正対象項目名】図４
【補正方法】変更
【補正の内容】
【図４】
2004081910.tif 000008